(57)【要約】【課題】  新しい趣向を有する装飾部材を提供する。【解決手段】  首飾り１０の飾り部１１を、細い紐を筒状をなすように平織りに編んで形成した筒状網体１４と、この筒状網体１４の中に入れられる複数の芯体と、筒状網体１４の長手方向において互いに離間した状態で複数の芯体が入れられた筒状網体１４を芯体間において外周から絞るための複数の環１６とから構成する。また、首飾り１０の紐部１２を、細めの筒状網体１４と、この筒状網体１４の中に入れられる紐とから構成する。【選択図】      図１
2006034361.tif 000002
【特許請求の範囲】
【請求項１】
筒状網体と、この筒状網体の内側に入れた芯体とで構成したことを特徴とする装飾部材。
【請求項２】
複数の前記芯体を、前記筒状網体の長手方向において互いに離間した状態で設けたことを特徴とする請求項１に記載の装飾部材。
【請求項３】
前記芯体間において前記筒状網体をその外側から絞る絞り部材を設けたことを特徴とする請求項２に記載の装飾部材。
【請求項４】
前記筒状網体は、伸縮可能であることを特徴とする請求項１〜請求項３のいずれか一項に記載の装飾部材。
【請求項５】
前記筒状網体は、細い紐又は糸を筒状をなすように編んで形成されていることを特徴とする請求項１〜請求項４のいずれか一項に記載の装飾部材。
【請求項６】
前記筒状網体は、平織りよりなることを特徴とする請求項５に記載の装飾部材。
【発明の詳細な説明】
【技術分野】
【０００１】
本発明は、新しい趣向の装飾部材に関するものである。
【背景技術】
【０００２】
従来、例えば、室内用の装飾品の１つである玉のれんは、部屋の出入口等の上に固定される横木と、この横木の長手方向に沿って吊り下げられた複数の紐と、この各紐に通されることで紐に固定された複数の木製の玉とから構成されている。また、装身具の１つである玉首飾りは、首に掛けられる紐に、複数の木製の玉が通された状態で固定されている。このように、紐に複数の玉を通して固定した装飾品や装身具は、玉の形を工夫したり、異なる形の複数の玉を用いたりすることにより、変化に富んだ趣を作り出すことができる。
【発明の開示】
【発明が解決しようとする課題】
【０００３】
ところが、上記のような玉のれんあるいは玉首飾りでは、紐に通された複数の木製の玉が外部に直接露出しているので、その趣に柔らかみが不足する。
本発明は、このような従来技術に存在する問題点に着目してなされたものである。その目的とするところは、新しいな趣向を有する装飾部材を提供することにある。
【課題を解決するための手段】
【０００４】
上記目的を達成するために、請求項１に記載の発明は、筒状網体と、この筒状網体の内側に入れた芯体とで構成したことを特徴とする。
請求項２に記載の発明は、請求項１に記載の発明において、複数の前記芯体を、前記筒状網体の長手方向において互いに離間した状態で設けたことを特徴とする。
【０００５】
請求項３に記載の発明は、請求項２に記載の発明において、前記芯体間において前記筒状網体をその外側から絞る絞り部材を設けたことを特徴とする。
請求項４に記載の発明は、請求項１〜請求項３のいずれか一項に記載の発明において、前記筒状網体は、伸縮可能であることを特徴とする。
【０００６】
請求項５に記載の発明は、請求項１〜請求項４のいずれか一項に記載の発明において、前記筒状網体は、細い紐又は糸を筒状をなすように編んで形成されていることを特徴とする。
【０００７】
請求項６に記載の発明は、請求項５に記載の発明において、前記筒状網体は、平織りよりなることを特徴とする。
【発明の効果】
【０００８】
本発明によれば、細い紐又は糸を筒状をなすように編んで形成された筒状網体の柔らかみと、芯体の形状あるいは性状によって付与された形状あるいは性状の面白みとを共に有するので、新しい趣向を有する装飾部材となる。また、芯体の形状を、例えば、球状、楕円体、円錐体等の幾何学的形状や、人造物、自然物の形状等に任意に設定することにより、筒状網体に所望する任意の各種形状を容易に付与することができるので、多様な趣向を備えることができる。
【発明を実施するための最良の形態】
【０００９】
（第１実施形態）
次に、本発明を首飾りに具体化した第１実施形態を図１〜図４に従って説明する。
図１に示すように、装飾品としての首飾り１０は、使用状態において、胸の前に配置される飾り部１１と、この飾り部１１の両端から首の後に回される一対の紐部１２と、この両紐部１２同士を取り外し可能に連結する連結金具１３とを備えている。なお、この連結金具１３は周知の製品である。
【００１０】
飾り部１１は、図２（ａ）に示す筒状網体１４と、図２（ｂ）に示す略ラグビー球状の芯体１５と、図２（ｃ）に示す略円筒状の絞り部材としての環１６とによって構成される。筒状網体１４は、繊維をより合わせた細い紐を筒状をなすように平織りに編んで形成されている。この繊維としては、天然繊維である植物繊維や動物繊維、化学繊維であるセルロース系繊維、合成繊維を用いることができる。芯体１５は、筒状網体の中に入れられることにより、筒状網体を部分的に膨らませるためのものであって、木、竹、金属、合成樹脂等からなる人工物や、木の実、小石等の自然物そのものを用いることができる。芯体１５の形状は、球状、楕円体、円錐体等の幾何学的形状であってもよく、人造物の形状であってもよい。さらに、自然物そのままの形状であってもよい。環１６は、筒状網体１４の外周に嵌められ、筒状網体１４の長手方向において互いに離間した状態で複数の芯体１５が入れられた筒状網体１４を、芯体１５間において外周側から絞るためのものであって、金属、木、合成樹脂等から形成することができる。そして、飾り部１１は、図３に示すように、筒状網体１４に対し、芯体１５と環１６とが順に組み付けられることによって形成されている。また、筒状網体１４の両端部は、図４に示すように、有底円筒状の留め具１７内に押し込まれた状態で、接着剤によって留め具１７に固定されている。なお、飾り部１１に、水溶性のコーティング剤（例えば、酢酸ビニル系接着剤。）を塗布した後、着色材をスプレー塗布してもよい。あるいは、予め着色剤を混ぜ合わせたコーティング剤を塗布してもよい。
【００１１】
一方、紐部１２は、飾り部１１の筒状網体１４よりも径が小さい筒状網体１４と、この筒状網体１４内に入れられる芯体としての図示しない紐とによって構成されている。この紐は、一般的な製品である。
【００１２】
以上詳述した首飾り１０は、飾り部１１が、細い紐を筒状をなすように編んで形成された筒状網体１４の柔らかみと、略ラグビー球状の芯体１５によって付与された形状の面白みとを共に有するので、新しい趣向を有するものとなる。さらに、筒状網体１４は、芯体１５間において環１６により外周側から絞られているので、芯体１５によって付与される形状の特徴が顕著となる。なお、芯体１５として上記のような多様なものを用いることにより、首飾り１０の趣向を多様に変化させることができる。また、紐部１２も筒状網体１４の柔らかみと、可撓性（性状）を有する紐によってもたらされるしなやかさ（性状）を共に有するので、新しい趣向を有する。
【００１３】
（第２実施形態）
次に、本発明を、ペンダントに具体化した第２実施形態を図５及び図６に従って説明する。
【００１４】
図５に示すように、装飾品としてのペンダント２０は、使用状態において、胸の前に配置される飾り部２１と、この飾り部２１の両端から首の後に回される一対の紐部２２と、前記連結金具１３とにより構成されている。
【００１５】
図６に示すように、飾り部２１は、前記紐部２２に連結される金属製の筒体２３と、この筒体２３に係止される略Ｃ字形状の芯金２４と、この芯金２４に沿って配置される略Ｃ字形状のスポンジ２５と、芯金２４及びスポンジ２５に被せられる筒状網体２６とによって構成されている。そして、芯金２４及びスポンジ２５の両端部は、筒状網体２６の両端部とともに筒体２３の両側にそれそれ押し込められ、筒体２３内に接着固定されている。すなわち、本実施形態では、芯金２４及びスポンジ２５が芯体を構成する。なお、紐部２２は、前記第１実施形態の紐部１２と基本的に同じ構成である。
【００１６】
この実施形態のペンダント２０は、飾り部２１に、筒状網体１４の柔らかみと、芯金２４及びスポンジ２５によって付与された形状の面白みとを共に有するので、新しい趣向を有するものとなる。
【００１７】
（第３実施形態）
次に、本発明を、玉のれんに具体化した第３実施形態を図７に従って説明する。
図７に示すように、装飾品としての玉のれん３０は、建築物内の開口部等の上側に固定される横材３１と、この横材３１に沿って複数設けられた吊り下げ部３２とから構成される。各吊り下げ部３２は、前記第１実施形態の首飾り１０における飾り部１１と基本的に同じ構成となっている。すなわち、各吊り下げ部３２は、１本の筒状網体１４と、この筒状網体１４の内側に入れられた複数の芯体１５と、芯体１５間において筒状網体１４をその外側から絞る環１６と、筒状網体１４の両端に固定される留め具１７とにより構成されている。
【００１８】
この実施形態の玉のれん３０は、各吊り下げ部３２に、筒状網体１４の柔らかみと、芯体１５及び環１６によって付与された形状の面白みとを共に有するので、新しい趣向を有するものとなる。
【００１９】
（第４実施形態）
次に、本発明を、額縁に具体化した第４実施形態を図８に従って説明する。
図８に示すように、装飾品としての額縁４０は、この額縁４０の裏側を形成する枠体４１と、この枠体４１の表面に固定される飾り枠４２とから構成される。枠体４１と飾り枠４２との間には段差部が形成され、この段差部には、絵４３と裏板４４とが嵌め込まれる。絵４３及び裏板４４は、枠体４１と飾り枠４２とにより構成される額縁本体に対し、枠体４１の裏面に設けられた留め爪４６により取り外し可能に固定される。前記飾り枠４２は、額縁４０の表面側を形成する枠状の芯体４５と、この芯体４５に被せられた筒状網体１４とによって構成されている。芯体４５には、額縁４０の内側となる側にテーパ面４５ａを備えている。そして、飾り部４２は、枠体４１の表面に対し、接着によって張り合わされている。
【００２０】
この実施形態の額縁４０は、表面を形成する飾り枠４２に、筒状網体１４の柔らかみと、テーパ面４５ａを有する芯体４５によって付与された形状の面白みとを共に有するので、新しい趣向を有するものとなる。
【００２１】
（変形例）
次に、上記実施形態以外の実施形態を記載する。
・  前記筒状網体１４を、糸を筒状をなすように平織りに編んで形成すること。
【００２２】
・  前記筒状網体１４を、紐又は糸を筒状をなすように繻子織り又は綾織りに編んで形成すること。
・  本発明を、装身具としてのループタイに具体化する。すなわち、タイ全体を筒状網体によって構成し、首に掛ける部位には芯体として紐を入れる。一方、タイの各端部には、芯体として例えば略ラグビー球状の木や合成樹脂を複数互いに離間した状態で入れるとともに、芯体間において筒状網体をその外側から絞る環を設けた構成とする。
【００２３】
・  本発明を、装身具としての携帯電話のストラップに具体化する。すなわち、ストラップ全体を筒状網体によって構成し、そのほぼ全体に芯体として紐を入れる。また、筒状網体の一部には、芯体として例えばビーズを入れた構成とする。
【００２４】
・  本発明を、装飾品としての箪笥における引き出しの取っ手に具体化する。すなわち、取っ手金具を芯体とし、この芯体に直接、あるいは、布等を巻いた状態で筒状網体を被せた構成とする。
【００２５】
以下、前記各実施形態から把握される技術的思想を列記する。
（１）  請求項１に記載の発明において、前記芯体は、紐であることを特徴とする装飾部材（第１実施形態の紐部１２、第２実施形態の紐部２２）。
【００２６】
（２）  請求項１〜請求項６又は技術的思想（１）のいずれか一項に記載の装飾部材を用いたことを特徴とする装身具。
（３）  請求項１〜請求項６又は技術的思想（１）のいずれか一項に記載の装飾部材を用いたことを特徴とする装飾品。
【００２７】
（４）  技術的思想（２）に記載の装身具において、首飾り又はペンダントであることを特徴とする装身具。
（５）  技術的思想（３）に記載の装飾品において、玉すだれ又は額縁であることを特徴とする装飾品。
【図面の簡単な説明】
【００２８】
【図１】第１実施形態の首飾りを示す正面図。
【図２】（ａ）は筒状網体を示す斜視図、（ｂ）は芯体を示す斜視図、（ｃ）は環を示す斜視図。
【図３】製作途中の飾り部を示す側面図。
【図４】飾り部の端部を示す縦断面図。
【図５】第２実施形態のペンダントを示す正面図。
【図６】飾り部を示す縦断面図。
【図７】第３実施形態の玉すだれを示す正面図。
【図８】第４実施形態の額縁を示す正面図。
【符号の説明】
【００２９】
１０…装身具としての首飾り、１４…筒状網体、１５…芯体、１６…絞り部材としての環、２０…装身具としての首飾り、２４…芯体を構成する芯金、２５…同じくスポンジ、２６…筒状網体、３０…装飾品としての玉のれん、４０…同じく額縁、４５…芯体。
【図１】
2006034361.tif 000003
【図２】
2006034361.tif 000004
【図３】
2006034361.tif 000005
【図４】
2006034361.tif 000006
【図５】
2006034361.tif 000007
【図６】
2006034361.tif 000008
【図７】
2006034361.tif 000009
【図８】
2006034361.tif 000010